(57)【要約】【課題】低周波の縦振動を効果的に減衰すると共に、かご枠の外形寸法内に収まるコンパクトなエレベーターの吸振装置を提供する。【解決手段】昇降路１を昇降移動するかご枠６と、このかご枠６内に設けられた乗りかご５と、上記かご枠６の昇降移動を案内し、かつ上下に延在するように設けられたガイドレール２と、上記かご枠６下部に設けられたかご下プーリ４を介して上記かご枠６を支持し昇降させる吊りロープ３とからなるエレベーターにおいて、上記かご枠６下方に、上下に移動するダイナミックダンパー１０を設けた構成。【選択図】      図１
2005001773.tif 000002
【特許請求の範囲】
【請求項１】
昇降路を昇降移動するかご枠と、このかご枠内に設けられた乗りかごと、上記かご枠の昇降移動を案内し、かつ上下に延在するように設けられたガイドレールと、上記かご枠下部に設けられたかご下プーリを介して上記かご枠を支持し昇降させる吊りロープとからなるエレベーターにおいて、
上記かご枠下方に、上下に移動するダイナミックダンパーを設けたことを特徴とするエレベーターの吸振装置。
【請求項２】
上記ダイナミックダンパーを、上記かご下プーリ間に設けたことを特徴とする請求項１記載のエレベーターの吸振装置。
【請求項３】
上記ダイナミックダンパーは、上記かご枠に下向きに吊るされ固設されたガイドロッドと、このガイドロッドに防振ばねを介して上下移動可能に支持されたベース板と、このベース板に取り付けられた重鎮とから構成したことを特徴とする請求項１又は２記載のエレベーターの吸振装置。
【請求項４】
上記重鎮を、上記ベース板に左右対称に離間して設けたことを特徴とする請求項３記載のエレベーターの吸振装置。
【請求項５】
上記重鎮を、上記かご枠と乗りかご重量の１０〜２０％としたことを特徴とする請求項３記載のエレベーターの吸振装置。
【発明の詳細な説明】
【０００１】
【発明の属する技術分野】
本発明は主にロープ式エレベーターの吸振装置に関する。
【０００２】
【従来の技術】
近時、昇降路を昇降移動するかご枠と、このかご枠内に設けられた乗りかごと、上記かご枠の昇降移動を案内し、かつ上下に延在するように設けられたガイドレールと、上記かご枠下部に設けられたかご下プーリを介して上記かご枠を支持し昇降させる吊りロープとからなるエレベーターが一般的に用いられるようになっている。しかし、最近このようなエレベーターにおいて、１次振動である低周波数域（３Ｈｚ近辺）の縦振動が発生し問題となっている。
【０００３】
この問題を解決するため、乗りかごを吊るシンブルロッドの下方に板ばねを設け、この板ばねの左右に重りを設けたものを採用する案も考えられる（例えば特許文献１参照）。
【０００４】
【特許文献１】
特開昭５７−３３１８１号公報（第２頁下左欄６行目〜１１行，第４図）
【０００５】
【発明が解決しようとする課題】
上記従来の技術においては、固有振動数を低周波数に調整しようとすると、構造が大きくなり、かご枠の外形寸法内に収まらないという問題の生じることが判明した。
【０００６】
本発明の目的は、低周波の縦振動を効果的に減衰すると共に、かご枠の外形寸法内に収まるコンパクトなエレベーターの吸振装置を提供することにある。
【０００７】
【課題を解決するための手段】
本発明は上記目的を達成するために、昇降路を昇降移動するかご枠と、このかご枠内に設けられた乗りかごと、上記かご枠の昇降移動を案内し、かつ上下に延在するように設けられたガイドレールと、上記かご枠下部に設けられたかご下プーリを介して上記かご枠を支持し昇降させる吊りロープとからなるエレベーターにおいて、上記かご枠下方に、上下に移動するダイナミックダンパーを設けたことを特徴とする。
【０００８】
上記のように、上記かご枠下方に、上下に移動するダイナミックダンパーを設けたため、このダイナミックダンパーによって、１次振動の縦振動は効果的に吸振され、かご枠下部にコンパクトに治めることができる。
【０００９】
【発明の実施の形態】
以下本発明の実施の形態を図面に基づき説明する。
【００１０】
図１は本発明の一実施形態になるエレベーターの吸振装置を備えたかご枠部分の正面図、図２は図１の側面図、図３は図２のダイナミックダンパー部分の拡大図である。
【００１１】
図において、１は、高層建物の昇降路であって、この昇降路１の両側壁には、各ガイドレール２が垂直に立設されており、この両ガイドレール２の間には、吊りロープ３でかご下プーリ４を介して、昇降するかご枠６と、このかご枠６内に設けられた乗りかご５が昇降自在に設けられている。又、上記かご枠６の上下角隅部には、各ブラケット７が付設されており（下部は図示せず）、この各ブラケット７には、各ガイド装置８が上記各ガイドレール２の両側とその端面とに当接して摺動するように設けられている。さらに、上記かご枠６の下部には、各防振ゴム９が敷設されて、乗りかご５を支承するように設けられている。
【００１２】
又一方、上記かご枠６から下方へ吊り下げられる構造で、かご下プーリ４間にダイナミックダンパー１０が設けられている。即ち、上記かご枠６の下部に吊りプレート１１ａ、１１ｂが固定ボルト１１ｃにより固定され、吊りプレート１１ｂからガイドロッド１２が４本鉛直下向きに吊るされ、このガイドロッド１２の下方は、かご下プーリ連結材４ａに固定プレート４ｂと固定クリップ４ｃ及びロックナット４ｄにより固定されている。上記各ガイドロッド１２には防振バネ１３がバネ受１３ａを介して設置され、この防振バネ１３上にはガイドロッド１２の貫通する穴１２ａの設けられたベース板１０ａが取付けられており、このベース板１０ａの上下面には重錘１０ｂが左右対称に固定ボルト１０ｃにより取付けられている。なお、この重錘１０ｂは分割構造（薄板鋼板構造）をなしており、取付け性、また枚数の増減の調整がしやすい構造となっている。また、上記ベース板１０ａの穴１２ａと上記ガイドロッド１２との摺動部には摩擦を少なくするためのカラー１４を備えている。
【００１３】
上記ダイナミックダンパー１０は前記のような構造をしたもので、これが一体構造として上記かご枠６から下方へ吊り下げられる構造で、かご下プーリ４間の空間に取付けられている。
【００１４】
従って、上記かご枠６は、昇降時の振動等が、吊りロープ３を伝わりかご下プーリ４から乗りかご５に伝っても、上記防振ゴム９で高周波振動を吸振すると共に、上記かご枠６に取付けられたダイナミックダンパー１０が、外部からの乗りかごの固有振動数に相当する低周波振動を減衰し、縦揺れを抑制して乗りかご５の乗り心地の向上を図っている。
【００１５】
次に、これを数式で説明する。
【００１６】
即ち、上記かご枠６に取付けられたダイナミックダンパー１０は、防振まね１３のバネ定数ｋと重錘１０ｂの質量をｍとし、固有振動数をｆとすると
ｆ＝１／２π√ｋ／ｍ
となる。
【００１７】
ここで、上記吊りロープ３から乗りかごへの加振周波数ｆ´（乗りかごの固有振動数をほぼ同じ）とすると、ｆ´＝ｆとなるように、上記式により、値を定めれば、乗りかご５に与える振動振幅を低減することができる。
【００１８】
なお、重鎮１０ｂの重さは、かご枠６と、乗りかご５の重量の１０〜２０％が最適である。即ち、１０％以下では効果が少なく、２０％以上では重すぎて積載重量に支障をきたすためである。
【００１９】
【発明の効果】
本発明によれば、昇降路のガイドレールに沿って吊りロープで昇降する乗りかごのかご下に上下に移動するダイナミックダンパーを設けてあるので、外部からの振動、縦揺れを抑制して乗りかごの乗り心地の向上を図ることが出来ると共に、かご枠の外形寸法からはみ出さず、構成もコンパクトであるから、既設の乗りかごにも組込むことができる等の優れた効果を有する。
【図面の簡単な説明】
【図１】本発明の一実施形態になるエレベーターの吸振装置を備えたかご枠部分の正面図である。
【図２】図１の側面図である。
【図３】図２のダイナミックダンパー部分の拡大図である。
【符号の説明】
１      昇降路
２      ガイドレール
３      吊りロープ
４      かご下プーリ
５      乗りかご
６      かご枠
１０    ダイナミックダンパー
１０ｂ  重鎮
１２    ガイドロッド
１３    防振ばね
【図１】
2005001773.tif 000003
【図２】
2005001773.tif 000004
【図３】
2005001773.tif 000005